(57)【要約】      （修正有）【課題】異常終了ジョブデータの再利用による不具合の発生を抑制することを可能とする画像形成装置を提供する。【解決手段】画像形成装置は、画像データを少なくとも含むジョブデータを記憶するＨＤＤ４２０と、ジョブデータに基づいて、用紙上に画像を形成するジョブを実行するＣＰＵ４４０とを備える。ＣＰＵ４４０は、ジョブの実行によって不具合が生じた場合に、不具合が生じたことを示す不具合情報を記憶部に記憶されたジョブデータに追加する。【選択図】図２
2010011278.tif 000002
【特許請求の範囲】
【請求項１】
用紙上に画像を形成する画像形成装置であって、
画像データを少なくとも含むジョブデータを記憶する記憶部と、
前記ジョブデータに基づいて、用紙上に画像を形成するジョブを実行する制御部とを備え、
前記制御部は、前記ジョブの実行によって不具合が生じた場合に、前記不具合が生じたことを示す不具合情報を前記記憶部に記憶された前記ジョブデータに追加することを特徴とする画像形成装置。
【請求項２】
前記不具合を検出する検出部をさらに備え、
前記制御部は、前記検出部によって前記不具合が検出された場合に、前記不具合情報を前記ジョブデータに追加することを特徴とする請求項１に記載の画像形成装置。
【請求項３】
前記不具合をユーザが入力する入力インタフェースをさらに備え、
前記制御部は、前記入力インタフェースから前記不具合情報が入力された場合に、前記不具合情報を前記ジョブデータに追加することを特徴とする請求項１に記載の画像形成装置。
【請求項４】
前記制御部は、前記ジョブデータに前記不具合情報が追加されていない前記ジョブを第１の表示形態で、前記ジョブデータに前記不具合情報が追加された前記ジョブを第２の表示形態で、前記ジョブの一覧を表示部に表示することを特徴とする請求項１に記載の画像形成装置。
【請求項５】
前記制御部は、前記記憶部に記憶された前記ジョブデータのうち、前記不具合情報が追加されていない前記ジョブデータである正常終了ジョブデータを抽出し、前記正常終了ジョブデータの前記ジョブの一覧を表示部に表示することを特徴とする請求項１に記載の画像形成装置。
【請求項６】
前記制御部は、前記記憶部に記憶された前記ジョブデータのうち、前記不具合情報が追加された前記ジョブデータである異常終了ジョブデータを抽出し、前記異常終了ジョブデータを外部記憶媒体に格納することを特徴とする請求項１に記載の画像形成装置。
【発明の詳細な説明】
【技術分野】
【０００１】
本発明は、画像データに基づいて、用紙上に画像を形成する画像形成装置に関する。
【背景技術】
【０００２】
従来、画像データに基づいて、用紙上に画像を形成した上で、画像が形成された用紙を排紙する画像形成装置が知られている。画像形成装置は、例えば、複写機やプリンタなどである。画像形成装置が複写機である場合には、画像形成装置は、原稿から画像を読み取ることによって画像データを取得する。一方で、画像形成装置がプリンタである場合には、画像形成装置は、パーソナルコンピュータなどの外部装置から画像データを取得する。
【０００３】
ここで、用紙上における画像の形成に用いる画像データを含むジョブデータを記憶する画像形成装置も知られている。画像形成装置は、画像形成装置に記憶されたジョブデータを出力可能に構成されている。
【０００４】
例えば、画像形成装置に故障が生じた場合に、未処理のジョブデータを記憶媒体に退避する画像形成装置が提案されている（例えば、特許文献１）。
【０００５】
また、画像形成装置とＬＡＮ回線などによって接続されたユーザ端末に対して、画像形成装置に記憶されたジョブデータのジョブの一覧を出力する画像形成装置が提案されている（例えば、特許文献２）。なお、ユーザ端末は、縮小画像のサムネイルによってジョブの一覧を表示する。
【特許文献１】特開２００１−４７７００号公報
【特許文献２】特開２００３−３７７００号公報
【発明の開示】
【発明が解決しようとする課題】
【０００６】
ところで、画像形成装置に記憶されたジョブデータを再利用する場合がある。ジョブデータを再利用する場合には、画像形成装置の表示部にジョブの一覧を表示する。ユーザは、ジョブの一覧の中から所望のジョブを選択し、選択したジョブのジョブデータをそのまま使って、新たなジョブを実行する。或いは、ユーザは、選択したジョブのジョブデータの一部を編集して、編集したジョブデータを使って、新たなジョブを実行する。
【０００７】
また、他の画像形成装置や端末などの他の装置にジョブデータを送信し、他の装置の表示部にジョブの一覧を表示して、ジョブデータを再利用する場合もある。
【０００８】
しかしながら、画像形成装置に記憶されているジョブデータの中には、過去のジョブの実行の際に不具合を生じさせたものがある。ここで、不具合としては、例えば、用紙上に形成された画像に文字化け等の画像不良が発生する不具合、ジョブデータに基づくジョブの実行の際に画像形成装置でジャム等の装置異常が発生する不具合等がある。
【０００９】
このように、過去のジョブの実行の際に不具合を発生させたジョブデータを再利用してジョブを実行する場合、再び同様の不具合が発生してしまう場合が多い。ユーザは、過去の不具合の発生を知らずに、ジョブデータを再利用してジョブを実行してしまい、再び不具合を発生させてしまう。このような場合、ユーザは、画像を差し替える、画像形成条件を変更する、他のジョブデータを利用するといった不具合への対応を行って、再びジョブを実行しなければならない。
【００１０】
そこで、本発明は、上述した課題を解決するためになされたものであり、異常終了ジョブデータの再利用による不具合の発生を抑制することを可能とする画像形成装置を提供することを目的とする。
【課題を解決するための手段】
【００１１】
第１の特徴に係る画像形成装置は、用紙上に画像を形成する。画像形成装置は、
画像データを少なくとも含むジョブデータを記憶する記憶部（ＨＤＤ４２０）と、前記ジョブデータに基づいて、用紙上に画像を形成するジョブを実行する制御部（ＣＰＵ４４０）とを備える。前記制御部は、前記ジョブの実行によって不具合が生じた場合に、前記不具合が生じたことを示す不具合情報を前記記憶部に記憶された前記ジョブデータに追加する。
【００１２】
かかる特徴によれば、制御部は、ジョブの実行によって不具合が生じた場合に、不具合情報をジョブデータに追加する。
【００１３】
このように、不具合情報が追加されたジョブデータを異常終了ジョブデータとして管理することによって、異常終了ジョブデータの再利用による不具合の発生を抑制することができる。
【００１４】
第１の特徴において、画像形成装置は、前記不具合を検出する検出部（検出ユニット１１０）をさらに備える。前記制御部は、前記検出部によって前記不具合が検出された場合に、前記不具合情報を前記ジョブデータに追加する。
【００１５】
第１の特徴において、画像形成装置は、前記不具合をユーザが入力する入力インタフェース（操作ユニット９０）をさらに備える。前記制御部は、前記入力インタフェースから前記不具合情報が入力された場合に、前記不具合情報を前記ジョブデータに追加する。
【００１６】
第１の特徴において、前記制御部は、前記ジョブデータに前記不具合情報が追加されていない前記ジョブを第１の表示形態で、前記ジョブデータに前記不具合情報が追加された前記ジョブを第２の表示形態で、前記ジョブの一覧を表示部に表示する。
【００１７】
第１の特徴において、前記制御部は、前記記憶部に記憶された前記ジョブデータのうち、前記不具合情報が追加されていない前記ジョブデータである正常終了ジョブデータを抽出し、前記正常終了ジョブデータの前記ジョブの一覧を指示する。
【００１８】
第１の特徴において、前記制御部は、前記記憶部に記憶された前記ジョブデータのうち、前記不具合情報が追加された前記ジョブデータである異常終了ジョブデータを抽出し、前記異常終了ジョブデータを外部記憶媒体に格納する。
【発明の効果】
【００１９】
本発明によれば、異常終了ジョブデータの再利用による不具合の発生を抑制することを可能とする画像形成装置を提供することができる。
【発明を実施するための最良の形態】
【００２０】
以下において、本発明の実施形態に係る画像形成装置について、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（画像形成装置の概略）
以下において、第１実施形態に係る画像形成装置の概略について、図面を参照しながら説明する。図１は、第１実施形態に係る画像形成装置１００の概略を示す図である。なお、図１では、画像形成装置１００の詳細な構成については省略されていることに留意すべきである。
【００２３】
図１に示すように、画像形成装置１００は、自動原稿送りユニット１０と、画像読み取りユニット２０と、用紙トレイユニット３０と、給紙ユニット４０と、画像形成ユニット５０と、定着ユニット６０と、排紙ユニット７０と、反転ユニット８０と、操作ユニット９０と、検出ユニット１１０とを有する。画像形成装置１００は、給紙装置２００及び後処理装置３００をさらに有する。
【００２４】
画像形成装置１００は、プリンタコントローラ５００を介してユーザ端末６００に接続されている。画像形成装置１００は、例えば、プリンタコントローラ５００とビデオバス５０１によって接続される。プリンタコントローラ５００は、例えば、ユーザ端末６００とＬＡＮ６０１によって接続される。
【００２５】
第１実施形態では、画像形成装置１００として、電子写真方式によって、用紙上に画像を形成するデジタル式ＭＦＰ（Ｍｕｌｔｉｐｌｅ  Ｆｕｎｃｔｉｏｎ  Ｐｅｒｉｐｈｅｒａｌ）を例示する。但し、画像形成方法は、電子写真方式に限定されるものではない。画像形成方法は、インクジェット方式、熱転写方式、ドットインパクト方式などであってもよい。
【００２６】
自動原稿送りユニット１０は、複写すべき原稿を搬送するユニットである。具体的には、自動原稿送りユニット１０は、原稿載置トレイと、原稿分離部と、原稿搬送部と、原稿排紙部と、原稿排紙トレイと、原稿反転部とを有する。
【００２７】
原稿載置トレイは、原稿を載置するトレイである。原稿分離部は、原稿載置トレイに複数枚の原稿が載置されている場合に、原稿を１枚ずつに分離して給紙する。原稿搬送部は、原稿分離部によって分離された原稿を画像読み取り位置に搬送するローラ群を有する。原稿排紙部は、原稿搬送部によって搬送された原稿を原稿排紙トレイへ排紙する。原稿排紙トレイは、原稿排紙部によって排紙された原稿を載置するトレイである。原稿反転部は、両面複写モードにおいて原稿の表裏を反転する。
【００２８】
画像読み取りユニット２０は、原稿の画像を読み取って、画像データを生成するユニットである。具体的には、画像読み取りユニット２０は、スリットと、プラテンガラスと、ランプと、ミラーユニットと、結像レンズと、撮像素子とを有する。
【００２９】
スリットは、ランプから出射された光を透過する領域である。スリットから出射された光が原稿に照射される位置が画像読み取り位置である。
【００３０】
プラテンガラスは、自動原稿送りユニット１０を用いずに原稿を複写する場合に、原稿を載置する台である。
【００３１】
ランプは、原稿に照射される光を出射する。ランプは、自動原稿送りユニット１０を用いるケースでは、スリットを介して原稿に光を照射する。一方で、ランプは、自動原稿送りユニット１０を用いないケースでは、プラテンガラスの下面に沿って移動しながら原稿に光を照射する。ミラーユニットは、原稿で反射された光を反射して、原稿で反射された光を結像レンズ側に導く。結像レンズは、ミラーユニットで反射された光を結像する。具体的には、結像レンズは、原稿で反射された光を撮像素子上に結像する。撮像素子は、結像レンズによって結像された光を読み取るＣＣＤ等の光電変換素子である。
【００３２】
用紙トレイユニット３０は、用紙を収容するユニットである。用紙トレイユニット３０は、複数の給紙トレイと、複数の給紙ローラと、複数の分離ローラと、複数のフォトセンサと、手差しトレイとを有する。
【００３３】
各給紙トレイは、複数枚の用紙を収容するトレイである。各給紙ローラは、給紙トレイに収容された用紙を分離ローラ方向へ送り出す。各分離ローラは、給紙ローラによって送り出された用紙を１枚ずつに分離する。各フォトセンサＰＳは、後述するローラ群に用紙が到達したか否かを検出する。手差しトレイは、用紙を載置するトレイである。
【００３４】
給紙ユニット４０は、画像形成ユニット５０に用紙を給紙するユニットである。給紙ユニット４０は、複数のローラ群と、搬送ローラと、レジストローラと、転写前ローラとを有する。
【００３５】
複数のローラ群は、用紙トレイユニット３０や給紙装置２００に収容された用紙を搬送する。搬送ローラは、複数のローラ群によって搬送された用紙をレジストローラ方向へ搬送する。また、搬送ローラは、後述する排紙ユニット７０から搬送された用紙をレジストローラ方向へ搬送する。レジストローラは、搬送ローラによって搬送された用紙を転写前ローラへ搬送する。また、レジストローラは、手差しトレイから搬送された用紙を転写前ローラへ搬送する。なお、レジストローラに用紙が到達したタイミングで、画像形成ユニット５０によるトナー像の形成を開始する。転写前ローラは、レジストローラによって搬送されたシートを画像形成ユニット５０側に搬送する。
【００３６】
画像形成ユニット５０は、ジョブデータに含まれる画像データに基づいて、給紙ユニット４０によって給紙された用紙上にトナー像を形成するユニットである。ジョブデータは、画像データを少なくとも含む。ジョブデータの詳細については後述する（図３を参照）。
【００３７】
画像形成ユニット５０は、黄用ユニット５０Ｙと、マゼンタ用ユニット５０Ｍと、シアン用ユニット５０Ｃと、黒用ユニット５０Ｋと、中間転写ベルト５１と、転写ローラ５２とを有する。黄用ユニット５０Ｙ、マゼンタ用ユニット５０Ｍ、シアン用ユニット５０Ｃ及び黒用ユニット５０Ｋは、それぞれ、感光体ドラムと、帯電器と、書込み処理部と、現像器と、転写器と、クリーニング部とを有する。
【００３８】
各感光体ドラムは、光導電性感光層が表面に形成されたドラムである。各感光体ドラムの表面には、後述するように、静電荷によって構成される各色の静電荷潜像が形成される。各帯電器は、各感光体ドラムの表面を一様に帯電する。
【００３９】
各書込み処理部は、制御ユニット４００から取得する画像データに基づいて、各感光体ドラムの表面に各色の静電荷潜像を形成する。具体的には、各書込み処理部は、レーザ光を出射するレーザ発光部を有しており、レーザ光によって各感光体ドラムの表面を露光する。
【００４０】
各現像器は、各色の静電荷潜像の反転現像によって、各感光体ドラムの表面に各色のトナー像を形成する。各転写器は、中間転写ベルト５１上を帯電する転写電極を有する。各転写器は、各感光体ドラムの表面に形成された各色のトナー像を中間転写ベルト５１上に転写する。各クリーニング部は、各感光体ドラムの表面を清掃する。具体的には、各クリーニング部は、各感光体ドラムの表面に残留するトナーを除去する。
【００４１】
中間転写ベルト５１は、黄用ユニット５０Ｙ、マゼンタ用ユニット５０Ｍ、シアン用ユニット５０Ｃ、黒用ユニット５０Ｋ、転写ローラ５２を通るように、複数のローラに巻き回されている。中間転写ベルト５１上には、各色のトナー像が重ね合わされる。
【００４２】
転写ローラ５２は、中間転写ベルト５１上に形成されたトナー像を用紙上に転写する具体的には、転写ローラ５２は、トナーと反対の極性を有するように帯電している。
【００４３】
定着ユニット６０は、用紙上に形成されたトナー像を熱圧着によって用紙に定着するユニットである。定着ユニット６０は、加熱ローラと、加圧ローラと、クリーニングウェブとを有する。
【００４４】
加熱ローラは、トナー像が形成された用紙を加熱する。加圧ローラは、加熱ローラと加圧ローラとの間にシートを狭持して用紙を搬送する。これによって、加圧ローラは、トナー像が形成された用紙を加圧する。クリーニングウェブは、加圧ローラに付着したトナーを除去する。
【００４５】
排紙ユニット７０は、トナー像が定着された用紙を排出するユニットである。排紙ユニット７０は、定着排出ローラと、切替部と、排紙ローラと、搬送ローラとを有する。
【００４６】
定着排出ローラは、定着ユニット６０から搬送された用紙を切替部側に搬送する。切替部は、定着排出ローラによって搬送された用紙を排紙するか否かを切り替える。具体的には、切替部は、片面複写モードにおいて、用紙の搬送ルートを排紙ローラ側に切り替える。切替部は、両面複写モードにおいて、用紙の両面についてトナー像の形成が終了している場合には、用紙の搬送ルートを排紙ローラ側に切り替える。一方で、切替部は、両面複写モードにおいて、用紙の片面についてトナー像の形成が終了していない場合には、用紙の搬送ルートを反転ユニット８０側に切り替える。
【００４７】
排紙ローラは、トナー像の定着が終了した用紙を後処理装置３００側に排紙する。搬送ローラは、両面複写モードにおいて、片面についてトナー像の形成が終了してない用紙を反転ユニット８０側に搬送する。
【００４８】
反転ユニット８０は、片面についてトナー像の形成が終了してない用紙の表裏を反転させるユニットである。反転ユニット８０は、排紙ユニット７０から搬送された用紙を画像形成ユニット５０側に搬送する。すなわち、反転ユニット８０は、画像形成ユニット５０に用紙を再給紙する。
【００４９】
操作ユニット９０は、画像形成装置１００の操作を行うためのユーザインタフェースである。操作ユニット９０は、タッチパネル式の表示部、ボタン及びスイッチによって構成される。表示部は、例えば、液晶パネルである。
【００５０】
ここで、操作ユニット９０は、ジョブの実行によって不具合が生じたことを示す不具合情報をユーザが入力する入力インタフェースとして機能する。入力インタフェースから入力される不具合情報は、例えば、（ａ）用紙上に形成された画像に不良が存在する不具合情報などの情報であり、不具合に関する任意のメッセージを含んでもよい。
【００５１】
検出ユニット１１０は、ジョブの実行によって生じた不具合を検出する。検出ユニット１１０によって検出される不具合は、例えば、（ｂ）画像形成装置１００内で紙詰まりが発生する不具合、（ｃ）補修者による補修作業が必要な不具合、（ｄ）画像形成装置１００が対応していない処理条件が要求された不具合などである。処理条件は、例えば、原稿の枚数、用紙の種類やサイズなどの条件、後処理の条件、モノクロ／カラーなどの画質の条件などである。
【００５２】
給紙装置２００は、用紙トレイユニット３０よりも多量の用紙を収容する装置である。多量の用紙を排出するケースにおいて、給紙装置２００は、用紙トレイユニット３０の代わりに用いられる。
【００５３】
後処理装置３００は、画像が形成された用紙の後処理を行う。具体的には、後処理装置３００は、フィニッシャー３１０と、排紙トレイ３２０とを有する。
【００５４】
フィニッシャー３１０は、ソート処理、パンチ（穴空け）処理、ステープル処理、中折り処理、裁断処理などを行う。フィニッシャー３１０は、これらの後処理が施された用紙を排紙トレイ３２０に排紙する。
【００５５】
排紙トレイ３２０は、画像が形成された用紙を載置するトレイである。具体的には、排紙トレイ３２０には、画像形成装置１００から排紙された用紙が排紙される。また、排紙トレイ３２０には、フィニッシャー３１０から排紙された用紙が排紙される。
【００５６】
プリンタコントローラ５００は、ＬＡＮ６０１を介してユーザ端末６００から印刷ジョブのジョブデータを受信する。プリンタコントローラ５００は、印刷ジョブのジョブデータに含まれる印刷データを解析して画像データに変換して、ビデオバス５０１を介してジョブデータを画像形成装置１００に送信する。
【００５７】
ユーザ端末６００は、パーソナルコンピュータなどの端末である。ユーザ端末６００は、ＬＡＮ６０１を介して印刷ジョブのジョブデータをプリンタコントローラ５００に送信する。印刷ジョブのジョブデータは、ユーザ端末６００によって指定された画像の印刷を指示するコマンド、印刷条件のデータ、印刷データ等を含む。
【００５８】
（画像形成装置の機能）
以下において、第１実施形態に係る画像形成装置の機能について、図面を参照しながら説明する。図２は、第１実施形態に係る画像形成装置１００を示すブロック図である。
【００５９】
図２に示すように、画像形成装置１００は、画像形成装置１００を統括的に制御する制御ユニット４００を有する。制御ユニット４００は、通信Ｉ／Ｆ４１０と、ＨＤＤ４２０と、メモリ４３０と、ＣＰＵ４４０とを有する。
【００６０】
通信Ｉ／Ｆ４１０は、ビデオバス５０１に接続されており、プリンタコントローラ５００から画像データを取得する。
【００６１】
ＨＤＤ４２０は、制御プログラムや画像形成装置１００の機能に関する情報などを記憶する。ＨＤＤ４２０は、画像データを少なくとも含むジョブデータを記憶する。ジョブデータは、図３に示すように、画像ヘッダフィールド、原稿枚数や用紙サイズなどの処理条件フィールド、不具合情報フィールド、画像データフィールドを含む。
【００６２】
画像ヘッダフィールドは、ジョブデータの構成を示す画像ヘッダが格納されるフィールドである。画像ヘッダフィールドは、固定長であることが好ましい。例えば、画像ヘッダフィールドには、ジョブデータを構成する各フィールドのフィールド長が格納される。
【００６３】
処理条件フィールドは、原稿の枚数、用紙の種類やサイズなどの条件、後処理の条件、モノクロ／カラーなどの画質の条件が格納されるフィールドである。処理条件フィールドは、固定長であることが好ましい。図３では、処理条件の一例として、原稿枚数及び用紙サイズが例示されている。
【００６４】
不具合情報フィールドは、ジョブの実行によって生じた不具合を示す不具合情報が格納されるフィールドである。不具合情報フィールドは、固定長であってもよく、可変長であってもよい。例えば、不具合情報フィールドには、（ａ）用紙上に形成された画像に不良が存在する不具合が生じたことを示す不具合情報、（ｂ）画像形成装置１００内で紙詰まりが発生する不具合が生じたことを示す不具合情報、（ｃ）補修者による補修作業が必要な不具合が生じたことを示す不具合情報、（ｄ）画像形成装置１００が対応していない処理条件が要求された不具合が生じたことを示す不具合情報などが格納される。
【００６５】
画像データフィールドは、画像データが格納されるフィールドである。画像データフィールドは、可変長であることが好ましい。
【００６６】
メモリ４３０は、ＤＲＡＭなどの半導体メモリによって構成される。メモリ４３０は、画像読み取りユニット２０によって取得された画像データや通信Ｉ／Ｆ４１０によって取得された画像データを一時的に記憶する。メモリ４３０上には、ＨＤＤ４２０に記憶された制御プログラムが展開される。
【００６７】
ＣＰＵ４４０は、メモリ４３０上に展開された制御プログラムに従って、画像形成装置１００の各構成を制御する。以下においては、第１実施形態に関連するＣＰＵ４４０の動作について主として説明する。従って、ＣＰＵ４４０の動作の一部は省略されていることに留意すべきである。
【００６８】
ＣＰＵ４４０は、ジョブデータに基づいて、画像形成装置１００の各構成を制御して、用紙上に画像を形成するジョブを実行する。
【００６９】
ＣＰＵ４４０は、ジョブの実行によって不具合が生じた場合に、不具合が生じたことを示す不具合情報をＨＤＤ４２０に記憶されたジョブデータに追加する。具体的には、ＣＰＵ４４０は、ジョブデータの不具合情報フィールドに不具合情報を追加する。
【００７０】
例えば、ＣＰＵ４４０は、ユーザにより操作ユニット９０から不具合情報が入力された場合に、操作ユニット９０に入力された不具合が生じたことを示す不具合情報を不具合情報フィールドに追加する。また、ＣＰＵ４４０は、検出ユニット１１０によって不具合が検出された場合に、検出ユニット１１０によって検出された不具合が生じたことを示す不具合情報を不具合情報フィールドに追加する。
【００７１】
次に、ＨＤＤ４２０に記憶されたジョブデータを参照するために、操作ユニット９０の表示部にジョブの一覧を表示する処理について説明する。ジョブの一覧は、操作ユニットからのユーザの指示に応答して表示され、以下のケース（１）及びケース（２）が挙げられる。
【００７２】
ケース（１）において、ＣＰＵ４４０は、正常終了ジョブデータのジョブとは異なる表示形態で、異常終了ジョブデータのジョブを表示するように、ジョブの一覧を表示する。すなわち、ＣＰＵ４４０は、正常終了ジョブデータのジョブを第１表示形態で表示するように指示し、異常終了ジョブデータのジョブを第２表示形態で表示するように指示する。ＣＰＵ４４０は、ジョブの一覧を操作ユニット９０の表示部に表示するが、ユーザ端末６００や他の画像形成装置などの外部機器にジョブの一覧表示を指示して、外部機器の表示部にジョブの一覧を表示してもよい。
【００７３】
なお、正常終了ジョブデータは、不具合情報が追加されていないジョブデータである。異常終了ジョブデータは、不具合情報が追加されたジョブデータである。
【００７４】
ケース（２）において、ＣＰＵ４４０は、ＨＤＤ４２０に記憶されたジョブデータのうち、正常終了ジョブデータを抽出し、正常終了ジョブデータのジョブのみを一覧表示する。ＣＰＵ４４０は、正常終了ジョブデータのジョブの一覧を操作ユニット９０の表示部に表示するが、ユーザ端末６００や他の画像形成装置などの外部機器にジョブの一覧表示を指示して、外部機器の表示部にジョブの一覧を表示してもよい。
【００７５】
また、ＣＰＵ４４０は、操作ユニット９０からのユーザの指示により、ＨＤＤ４２０に記憶されたジョブデータのうち、異常終了ジョブデータを抽出し、異常終了ジョブデータを外部記憶媒体に格納する。外部記憶媒体は、画像形成装置１００に着脱可能に設けられた半導体メモリなどの記憶媒体であってもよい。外部記憶媒体は、画像形成装置１００にネットワークを介して接続されたサーバなどの外部装置であってもよい。
【００７６】
なお、本実施形態では、ＣＰＵ４４０が操作ユニット９０の表示部の表示制御を行う表示制御部として機能するが、ＣＰＵ４４０とは別に表示制御部を設けてもよい。
【００７７】
（画像形成装置の動作）
以下において、第１実施形態に係る画像形成装置の動作について、図面を参照しながら説明する。図４、図５、図７、図１１及び図１３は、第１実施形態に係る画像形成装置１００の動作を示すフロー図である。
【００７８】
第１に、検出ユニット１１０の検出結果に応じて、不具合情報を追加するフローについて、図４を参照しながら説明する。
【００７９】
図４に示すように、ステップ１０において、ＣＰＵ４４０は、ジョブデータに基づいて、ジョブを実行する。
【００８０】
ステップ１１において、ＣＰＵ４４０は、検出ユニット１１０によって不具合が検出されたか否かを判定する。ＣＰＵ４４０は、不具合が検出された場合には、ステップ１２の処理に移る。ＣＰＵ４４０は、不具合が検出されなかった場合には、一連の処理を終了する。
【００８１】
ステップ１２において、ＣＰＵ４４０は、検出ユニット１１０によって検出された不具合が生じたことを示す不具合情報をジョブデータの不具合情報フィールドに追加する。
【００８２】
第２に、操作ユニット９０への入力情報に応じて、不具合情報を追加するフローについて、図５を参照しながら説明する。
【００８３】
図５に示すように、ステップ２０において、ＣＰＵ４４０は、ジョブデータを実行する。
【００８４】
ステップ２１において、ＣＰＵ４４０は、不具合が生じたことを示す不具合情報が操作ユニット９０から入力されたか否かを判定する。ＣＰＵ４４０は、不具合情報が入力された場合には、ステップ２２の処理に移る。ＣＰＵ４４０は、不具合情報が入力されなかった場合には、一連の処理を終了する。
【００８５】
ステップ２２において、ＣＰＵ４４０は、操作ユニット９０から入力された不具合情報をジョブデータの不具合情報フィールドに追加する。
【００８６】
ここで、操作ユニット９０を用いてユーザが不具合情報を入力するケースについて、図６を参照しながら説明する。具体的には、「予算」のジョブの実行によって画像に不良が存在する不具合が生じたケースについて説明する。ここでは、「予算」のジョブデータが異常終了ジョブデータであることに留意すべきである。
【００８７】
図６に示すように、操作ユニット９０には、ジョブデータに不具合情報を追加するための入力画面が表示され、用紙上に形成された画像に不良が存在する旨の不具合情報が入力される。例えば、操作ユニット９０に入力される情報は、ジョブの種別、不具合内容、不具合に関する任意のメッセージである備考などである。図６では、ジョブの種別として「ジョブ“予算”の不具合報告」が入力され、不具合内容として「画像不良」が入力され、備考として「数字０が文字化け」が入力される。
【００８８】
第３に、ＨＤＤ４２０に記憶されたジョブデータの参照要求を取得したケース（１）について、図７を参照しながら説明する。参照要求を行う主体は、操作ユニット９０であってもよく、ユーザ端末６００であってもよい。
【００８９】
図７に示すように、ステップ３０において、ＣＰＵ４４０は、ジョブデータの参照要求を取得する。
【００９０】
ステップ３１において、ＣＰＵ４４０は、指示対象のジョブデータが異常終了ジョブデータであるか否かを判定する。ＣＰＵ４４０は、指示対象のジョブデータが正常終了ジョブデータである場合には、ステップ３２の処理に移る。ＣＰＵ４４０は、指示対象のジョブデータが異常終了ジョブデータである場合には、ステップ３３の処理に移る。
【００９１】
ステップ３２において、ＣＰＵ４４０は、正常終了ジョブデータを第１表示形態で表示するように、正常終了ジョブデータの表示を指示する。
【００９２】
ステップ３３において、ＣＰＵ４４０は、異常終了ジョブデータを第２表示形態で表示するように、異常終了ジョブデータの表示を指示する。
【００９３】
ステップ３４において、ＣＰＵ４４０は、全ジョブデータについて表示の指示を行ったか否かを判定する。ＣＰＵ４４０は、全ジョブデータについて表示の指示を行っていない場合には、指示対象のジョブデータを変更して、ステップ３１の処理に移る。ＣＰＵ４４０は、全ジョブデータについて表示の指示を行った場合には、一連の処理を終了する。
【００９４】
ステップ３５において、ＣＰＵ４４０は、ステップ３２及びステップ３３で指示された表示形態でジョブの一覧を表示する。
【００９５】
第１の表示例として、検出ユニット１１０によって不具合が検出されたケースについて、図８を参照しながら説明する。具体的には、「仕様書」のジョブの実行によって紙詰まりが発生する不具合が生じたケースについて説明する。ここでは、「仕様書」のジョブデータが異常終了ジョブデータであることに留意すべきである。
【００９６】
図８に示すように、「仕様書」のジョブは、第２表示形態、すなわち、不具合が生じた旨を示す情報を含むアイコンで表示される。図８では、紙詰まりが発生する不具合が生じた旨を示す情報は、「ＪＡＭ」で表されている。
【００９７】
第２の表示例として、操作ユニット９０から不具合情報が入力されたケースについて、図９を参照しながら説明する。具体的には、「予算」のジョブの実行によって画像に不良が存在する不具合が生じたケースについて説明する。ここでは、「予算」のジョブデータが異常終了ジョブデータであることに留意すべきである。
【００９８】
図９に示すように、「予算」のジョブは、第２表示形態、すなわち、不具合が生じた旨を示す情報を含むアイコンで表示される。図９では、画像に不良が存在する不具合が生じた旨を示す情報は、「ＤＭＧ」で表されている。
【００９９】
ステップ３６において、ＣＰＵ４４０は、操作ユニット９０を用いてユーザが選択した不具合情報の詳細を表示する。
【０１００】
ここでは、図９に示すジョブの一覧を参照して、「予算」のジョブが選択されたケースについて、図１０を参照しながら説明する。
【０１０１】
図１０に示すように、不具合情報の詳細は、ジョブ名、不具合内容、発生日時、不具合に関する任意のメッセージである備考などを含む。図１０では、ジョブ名として「予算」が表示され、不具合内容として「画像不良」が表示され、発生日時として「０７／０２／０９」が表示され、備考として「数字０が文字化け」が表示される。
【０１０２】
第４に、ＨＤＤ４２０に記憶されたジョブデータの参照要求を取得したケース（２）について、図１１を参照しながら説明する。参照要求を行う主体は、操作ユニット９０であってもよく、ユーザ端末６００であってもよい。
【０１０３】
図１１に示すように、ステップ４０において、ＣＰＵ４４０は、ジョブデータの参照要求を取得する。
【０１０４】
ステップ４１において、ＣＰＵ４４０は、ＨＤＤ４２０に記憶されたジョブデータのうち、正常終了ジョブデータを抽出する。
【０１０５】
ステップ４２において、ＣＰＵ４４０は、正常終了ジョブデータのジョブのみを一覧表示する。
【０１０６】
なお、ケース（２）は、異常終了ジョブデータの表示を指示しない点で、ケース（１）と異なることに留意すべきである。
【０１０７】
ここで、正常終了ジョブデータのジョブのみを一覧表示するケースについて、図１２を参照しながら説明する。図１２に示すように、ジョブの一覧は、正常終了ジョブデータのジョブのみを含むため、全ジョブは、第１表示形態、すなわち、不具合が生じた旨を示す情報を含まないアイコンで表示される。
【０１０８】
第５に、ＨＤＤ４２０に記憶されたジョブデータの格納要求を取得したケースについて、図１３を参照しながら説明する。格納要求を行う主体は、操作ユニット９０であってもよく、ユーザ端末６００であってもよい。また、格納要求は、所定周期で自動的に行われてもよい。
【０１０９】
図１３に示すように、ステップ５０において、ＣＰＵ４４０は、ジョブデータの格納要求を取得する。
【０１１０】
ステップ５１において、ＣＰＵ４４０は、ＨＤＤ４２０に記憶されたジョブデータのうち、異常終了ジョブデータを抽出する。
【０１１１】
ステップ５２において、ＣＰＵ４４０は、異常終了ジョブデータを外部記憶媒体に格納する。上述したように、外部記憶媒体は、画像形成装置１００に着脱可能に設けられた記憶媒体であってもよい。外部記憶媒体は、画像形成装置１００にネットワークを介して接続された外部装置であってもよい。
【０１１２】
（作用及び効果）
第１実施形態では、ＣＰＵ４４０は、ジョブの実行によって不具合が生じた場合に、不具合情報をジョブデータに追加する。具体的には、ＣＰＵ４４０は、検出ユニット１１０によって不具合が検出された場合に、不具合情報をジョブデータに追加する。ＣＰＵ４４０は、操作ユニット９０から不具合情報が入力された場合に、不具合情報をジョブデータに追加する。
【０１１３】
このように、不具合情報が追加されたジョブデータを異常終了ジョブデータとして管理することによって、異常終了ジョブデータの再利用による不具合の発生を抑制することができる。
【０１１４】
第１実施形態では、ＣＰＵ４４０は、正常終了ジョブデータと異なる表示形態で、異常終了ジョブデータのジョブを表示するように、正常終了ジョブデータのジョブ及び異常終了ジョブデータのジョブの一覧を表示する。従って、異常終了ジョブデータの再利用をさらに抑制することができる。
【０１１５】
第１実施形態では、ＣＰＵ４４０は、ＨＤＤ４２０に記憶されたジョブデータのうち、正常終了ジョブデータを抽出して、正常終了ジョブデータのジョブのみを一覧表示する。
【０１１６】
第１実施形態では、ＣＰＵ４４０は、ＨＤＤ４２０に記憶されたジョブデータのうち、異常終了ジョブデータを抽出して、異常終了ジョブデータを外部記憶媒体に格納する。従って、故障要因の解明や新機種の開発に異常終了ジョブデータを容易に用いることができる。
【０１１７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１８】
例えば、画像形成装置１００は、ＭＦＰではなくて、プリンタ機能のみを有する装置であってもよく、複写機能のみを有する装置であってもよい。
【０１１９】
上述した実施形態において、ジョブデータの表示を指示するケース（２）において、ＣＰＵ４４０は、正常終了ジョブデータの表示を指示する。しかしながら、ジョブデータの表示を指示する方法は、これに限定されるものではない。例えば、ＣＰＵ４４０は、異常終了ジョブデータのジョブよりも正常終了ジョブデータのジョブを優先的に表示するように、正常終了ジョブデータのジョブ及び異常終了ジョブデータのジョブの一覧を表示してもよい。例えば、ＣＰＵ４４０は、ジョブデータを並び替えて、異常終了ジョブデータのジョブよりも正常終了ジョブデータのジョブが上位に配置されるように、ジョブの一覧を表示する。
【図面の簡単な説明】
【０１２０】
【図１】第１実施形態に係る画像形成装置１００の概略を示す図である。
【図２】第１実施形態に係る制御ユニット４００の構成を示す図である。
【図３】第１実施形態に係るジョブデータのデータ構造を示す図である。
【図４】第１実施形態に係る画像形成装置１００の動作を示すフロー図である。
【図５】第１実施形態に係る画像形成装置１００の動作を示すフロー図である。
【図６】第１実施形態に係る不具合情報の入力画面を示す図である。
【図７】第１実施形態に係る画像形成装置１００の動作を示すフロー図である。
【図８】第１実施形態に係るジョブの一覧の表示例を示す図である。
【図９】第１実施形態に係るジョブの一覧の表示例を示す図である。
【図１０】第１実施形態に係る不具合情報の詳細の表示例を示す図である。
【図１１】第１実施形態に係る画像形成装置１００の動作を示すフロー図である。
【図１２】第１実施形態に係るジョブの一覧の表示例を示す図である。
【図１３】第１実施形態に係る画像形成装置１００の動作を示すフロー図である。
【符号の説明】
【０１２１】
１０・・・自動原稿送りユニット、２０・・・画像読み取りユニット、３０・・・用紙トレイユニット、４０・・・給紙ユニット、５０・・・画像形成ユニット、５１・・・中間転写ベルト、５２・・・転写ローラ、６０・・・定着ユニット、７０・・・排紙ユニット、８０・・・反転ユニット、９０・・・操作ユニット、１００・・・画像形成装置、１１０・・・検出ユニット、２００・・・給紙装置、３００・・・後処理装置、３１０・・・フィニッシャー、３２０・・・排紙トレイ、４００・・・制御ユニット、４１０・・・通信Ｉ／Ｆ、４２０・・・ＨＤＤ、４３０・・・メモリ、４４０・・・ＣＰＵ、５００・・・プリンタコントローラ、５０１・・・ビデオバス、６００・・・ユーザ端末、６０１・・・ＬＡＮ
【図１】
2010011278.tif 000003
【図２】
2010011278.tif 000004
【図３】
2010011278.tif 000005
【図４】
2010011278.tif 000006
【図５】
2010011278.tif 000007
【図６】
2010011278.tif 000008
【図７】
2010011278.tif 000009
【図８】
2010011278.tif 000010
【図９】
2010011278.tif 000011
【図１０】
2010011278.tif 000012
【図１１】
2010011278.tif 000013
【図１２】
2010011278.tif 000014
【図１３】
2010011278.tif 000015